(57)【要約】【課題】便鉢の上部鉛直内壁面を全周に亘って目視できるようにする。【解決手段】水洗式大便器は、便鉢１０と、便鉢１０の上端縁部に形成されたリム１１と、便鉢１０の内面上端部に形成され、便鉢１０の全周に亘ってリム１１の上端面１１Ｓの内周縁部に連なる上部鉛直内壁面１３と、上部鉛直内壁面１３に開口し、洗浄水を吐出して上部鉛直内壁面１３に接する旋回流３４を生成する吐水口２８とを備える。吐水口２８が開口する上部鉛直内壁面１３は、全周に亘り、リム１１の上端面１１Ｓと直角をなして連なっていてオーバーハング部を有していないので、上部鉛直内壁面１３を全周に亘って目視できる。【選択図】図３
2019007350.tif 000002
【特許請求の範囲】
【請求項１】
便鉢と、
前記便鉢の上端縁部に形成されたリムと、
前記便鉢の内面上端部に形成され、前記便鉢の全周に亘って前記リムの上端面内周縁部に連なる上部鉛直内壁面と、
前記上部鉛直内壁面に開口し、洗浄水を吐出して前記上部鉛直内壁面に接する旋回流を生成する吐水口とを備えていることを特徴とする水洗式大便器。
【請求項２】
前記吐水口が、前記上部鉛直内壁面の上下方向中間位置に開口していることを特徴とする請求項１記載の水洗式大便器。
【請求項３】
前記便鉢の内面には、前記上部鉛直内壁面の下端縁に沿って上方に面するように棚面が形成されており、
前記吐水口の開口領域の最下端が、前記棚面より上方に設定されていることを特徴とする請求項１又は請求項２記載の水洗式大便器。
【請求項４】
前記上部鉛直内壁面の平面視形状は、前端部と後端部の曲率半径が左右両側縁部の曲率半径よりも小さい形状をなしており、
前記吐水口が前記上部鉛直内壁面の前端部又は後端部に開口していることを特徴とする請求項１ないし請求項３のいずれか１項記載の水洗式大便器。
【請求項５】
前記便鉢のうち前後方向における中央よりも後方の位置には、排水路に連なる溜水部が配されており、
前記吐水口が、前記溜水部の溜水面よりも後方に配され、
前記吐水口から吐出した洗浄水の一部が、下向きの誘導流を生成することを特徴とする請求項１ないし請求項４のいずれか１項記載の水洗式大便器。
【発明の詳細な説明】
【技術分野】
【０００１】
本発明は、水洗式大便器に関する。
【背景技術】
【０００２】
特許文献１には、便鉢と、便鉢の上端縁部に沿って形成されたリムと、便鉢の内面上端縁に沿った形成された上部鉛直内壁面と、上部鉛直内壁面に開口する吐水口とを備えた水洗式大便器が開示されている。この水洗式大便器は、吐水口から吐出した洗浄水により、便鉢内を洗浄するとともに、便鉢内の汚物を排出するようになっている。
【先行技術文献】
【特許文献】
【０００３】
【特許文献１】特許第４９４１７９６号公報
【発明の概要】
【発明が解決しようとする課題】
【０００４】
上記の水洗式大便器では、便鉢の上部鉛直内壁面のうち吐水口の開口領域の近傍に、オーバーハング部が形成されている。オーバーハング部の上面は、便鉢の水平な上面とほぼ面一状に連なっている。したがって、便鉢の上部鉛直内壁面のうちオーバーハング部が形成されている領域が汚れていた場合に、上から便鉢を覗き込んでも、その汚れ具合を目視で確認し難いという問題がある。
【０００５】
本発明は、上記従来の実情に鑑みてなされたものであって、便鉢の上部鉛直内壁面を全周に亘って目視できる水洗式大便器を提供することを解決すべき課題としている。
【課題を解決するための手段】
【０００６】
本発明の水洗式大便器は、
便鉢と、
前記便鉢の上端縁部に形成されたリムと、
前記便鉢の内面上端部に形成され、前記便鉢の全周に亘って前記リムの上端面内周縁部に連なる上部鉛直内壁面と、
前記上部鉛直内壁面に開口し、洗浄水を吐出して前記上部鉛直内壁面に接する旋回流を生成する吐水口とを備えていることを特徴とする。  
本発明において、リムの上端面に対して直角に連なる上部鉛直内壁面の向きは、厳密な鉛直方向に限らず、鉛直方向に対して上端側が便鉢の内側へ僅かに傾いた向き（つまり、リムの上端面と鋭角をなす向き）と、鉛直方向に対して上端側が便鉢の外側へ僅かに傾いた向き（つまり、リムの上端面と鈍角をなす向き）も含む。
【発明の効果】
【０００７】
吐水口が開口する上部鉛直内壁面は、全周に亘り、リムの上端面と直角に連なっていてオーバーハング部を有していないので、リムより高い位置の視点からでも、上部鉛直内壁面の全領域を全周に亘って目視することが可能である。
【図面の簡単な説明】
【０００８】
【図１】実施例１の水洗式大便器の平面図
【図２】図１のＸ−Ｘ線断面図
【図３】図１のＹ−Ｙ線断面図
【図４】図１のＺ−Ｚ線断面図
【発明を実施するための形態】
【０００９】
本発明の水洗式大便器は、
前記吐水口が、前記上部鉛直内壁面の上下方向中間位置に開口していてもよい。  
この構成によれば、上部鉛直内壁面に沿って一周した旋回流は、吐水口より低い位置を流れるのであるが、この一周した旋回流に対し、吐水口から吐出された洗浄水が上から覆い被さるので、洗浄水が上方へ飛散することを防止できる。
【００１０】
本発明の水洗式大便器は、
前記便鉢の内面には、前記上部鉛直内壁面の下端縁に沿って上方へ面するように棚面が形成されており、
前記吐水口の開口領域の最下端が、前記棚面より上方に設定されていてもよい。  
この構成によれば、棚面上を旋回する洗浄水に対し、吐水口から吐出された洗浄水が上から覆い被さるので、棚面上の洗浄水が上方へ飛散することを防止できる。
【００１１】
本発明の水洗式大便器は、
前記上部鉛直内壁面の平面視形状は、前端部と後端部の曲率半径が左右両側縁部の曲率半径よりも小さい形状をなしており、
前記吐水口が、前記上部鉛直内壁面の前端部又は後端部に開口していてもよい。  
この構成によれば、吐水口から斜めに吐出された洗浄水が、吐出の直後に曲率半径の大きい側縁部に対して接線状に接触するので、水勢の低下が抑えられ、洗浄力の高い旋回流が生成される。
【００１２】
本発明の水洗式大便器は、
前記便鉢のうち前後方向における中央よりも後方の位置には、排水路に連なる溜水部が配されており、
前記吐水口が、前記溜水部の溜水面よりも後方に配され、
前記吐水口から吐出した洗浄水の一部が、下向きの誘導流を生成してもよい。  
この構成によれば、吐水口から吐出された洗浄水の一部が、溜水部に向かう下向きの誘導流となるので、汚物を効果的に排水路へ誘導することができる。
【００１３】
＜実施例１＞
以下、本発明を具体化した実施例１を図１〜図４を参照して説明する。尚、以下の説明において、前後方向に関しては、図１における下側及び図２，３における右側を前側と定義する。また、左右方向に関しては、図１，４にあらわれる向きを、そのまま左側及び右側と定義する。本実施例１の水洗式大便器は、便鉢１０と、溜水部１７と、排水路１９と、給水部２４とを備えて構成されている。
【００１４】
＜便鉢１０＞
便鉢１０は、上方へ開放された略擂り鉢状をなす。便鉢１０には、その上端縁部に沿うようにリム１１が形成されている。リム１１の上端面１１Ｓは、全周に亘って略水平であり、且つ全周に亘って一定高さで連続している。便鉢１０の内面は、汚物（図示省略）を受け止めるための鉢面１２となっている。鉢面１２のうち上端部領域は、全周に亘って連続する上部鉛直内壁面１３となっている。図２〜４に示すように、上部鉛直内壁面１３は、リム１１の上端面１１Ｓに対し、曲率半径の小さい弧状凸面１４を介して直角をなすように連なっている。上端面１１Ｓと上部鉛直内壁面１３は、弧状凸面１４面に対し滑らかに（接線状）に連なっている。
【００１５】
図２〜４に示すように、便鉢１０の平面視中心部を通る鉛直面に沿った切断面においては、上部鉛直内壁面１３の上端側領域がほぼ直線状をなし、弧状凸面１４は、凸面のみで構成されている。そして、上部鉛直内壁面１３と上端面１１Ｓが弧状凸面１４を介して直角に連なる形態は、便鉢１０（リム１１）の全周に亘って連続している。したがって、上部鉛直内壁面１３には、その全領域に亘り、便鉢１０の内部へ突き出すオーバーハング部や凸部や凹部が形成されていない。これにより、リム１１の上端面１１Ｓより高い位置から斜め下方に向けた視線で上部鉛直内壁面１３を見たときに、上部鉛直内壁面１３の全領域を目視することが可能である。
【００１６】
上部鉛直内壁面１３は、リム１１の略水平な上端面１１Ｓに対して直角をなしている、本実施例における「直角」は、厳密な９０°の角度に限定されるものではなく、９０°より少し小さい角度と、９０°よりも少し大きい角度も含む。したがって、上部鉛直内壁面１３の向きは、厳密な鉛直方向（上下方向）に限らず、鉛直方向に対して上端側が便鉢１０の内側へ僅かに倒れるように傾いた向き（つまり、リム１１の上端面１１Ｓと鋭角をなす向き）と、鉛直方向に対して上端側が便鉢１０の外側へ僅かに傾いた向き（つまり、リム１１の上端面１１Ｓと鈍角をなす向き）も含む。
【００１７】
鉢面１２のうち上部鉛直内壁面１３よりも下方の領域は、全周に亘って連続する棚面１５となっている。棚面１５は、上部鉛直内壁面１３の下端に対し弧状凹面１６を介して滑らかに連続している。棚面１５は、全周に亘り、上方に面しており、上部鉛直内壁面１３から遠ざかるほど低くなるように傾斜している。棚面１５の水平面に対する傾斜角度は、周方向において一定ではなく部位によって異なるが、全周において４５°よりも小さい角度に設定されている。
【００１８】
＜溜水部１７及び排水路１９＞
便鉢１０の下端部は、溜水部１７となっている。溜水部１７は、便鉢１０の左右方向（幅方向）における中央に配置されている。また、溜水部１７は、便鉢１０の前後方向における中央よりも後方に偏った位置に配置されている。溜水部１７の上端部内面は、全周に亘り、ほぼ鉛直な立壁１８で構成されている。この立壁１８の上端部は、棚面１５の内周縁部に滑らかに連続している。
【００１９】
図２に示すように、排水路１９は、溜水部１７に連なる上昇路２０と、上昇路２０の下流端（上端）に連なる下降路２１とを備えて構成されている。下降路２１は、トイレの床面に設けた排水管（図示省略）に接続されている。溜水部１７は、排水路の入口に位置する。排水路１９は、左右対称であり、便鉢１０の左右方向（幅方向）における中央に配置されている。
【００２０】
洗浄前は、洗浄水が溜水として溜水部１７と上昇路２０に貯留されている。溜水部１７において溜水が静止しているときの液面を、溜水面２３と定義する。鉢面１２で受け止められた汚物や溜水部１７内に沈下した汚物は、鉢面１２に沿って旋回又は流下する洗浄水とともに、排水路１９を通って排出される。
【００２１】
＜給水部２４＞
給水部２４は、便鉢１０に洗浄水を供給するためのものであり、便鉢１０の上面部後方に隣接して形成されている。給水部２４の前端における左右方向中央部は、リム１１の後端部に連なっていて、給水部２４の上面とリム１１の上端面１１Ｓが面一状に連続している。図２，３に示すように、給水部２４は、上面が開放されて洗浄タンク等の給水口（図示省略）に連通するように形成された後部給水空間２５と、後部給水空間２５の前方に位置し、連通孔２７を介して後部給水空間２５に連通する前部給水空間２６とを備えて構成されている。
【００２２】
＜吐水口２８＞
便鉢１０の上端部（リム１１）には、給水部２４内に供給された洗浄水を、便鉢１０内に吐出するための吐水口２８が形成されている。吐水口２８は、上部鉛直内壁面１３と前部給水空間２６とを仕切る隔壁部２９を貫通した形態である。つまり、吐水口２８は、上部鉛直内壁面１３の後端部に位置し、前方に向かって開口している。
【００２３】
図４に示すように、吐水口２８の開口形状（正面視形状）は、全体として横長の方形をなし、四隅が弧状に成形されているとともに、上下非対称且つ左右非対称である。吐水口２８の開口縁を構成する４つの縁辺のうち、上縁辺３０は水平方向に延びている。右縁辺３１は鉛直方向に延びている。左縁辺３２は弧状をなしている。下縁辺３３は、水平ではなく、左方に向かって次第に高くなるように少し傾斜している。換言すると、吐水口２８の下縁辺３３は、便鉢１０の左側から中央に向かって下るように傾斜している。したがって、吐水口２８の高さ寸法は、右側から左側に向かって次第に小さくなっている。
【００２４】
図１に示すように、前後方向において、吐水口２８は、その全体に亘り、溜水部１７の溜水面２３の後端よりも後方の領域に開口している。また、吐水口２８は、その全体が、便鉢１０の左右方向中央よりも左方の領域に開口している。そして、吐水口２８のうち左端部を除いた大部分の領域は、左右方向において溜水面２３と重なるように開口している。また、図４に示すように、吐水口２８の開口領域の最上端（上縁辺３０）は、上部鉛直内壁面１３の上端（弧状凸面１４の下端）よりも下方の位置に設定されている。吐水口２８の開口領域の最下端（下縁辺３３の右端）は、棚面１５よりも上方の位置に設定されている。
【００２５】
吐水口２８からは、洗浄水が便鉢１０内に吐出される。吐水口２８からの洗浄水の吐出方向は、上部鉛直内壁面１３に沿うような向きであり、平面視において反時計回り方向の向きである。洗浄水の吐出流量（単位時間当たりの吐水量）は、吐出開始時がほぼ最大であり、その後、徐々に減少し、吐出終了間際で最小となる。したがって、吐出開始から吐出終了間際までの間は、吐出された洗浄水が、上部鉛直内壁面１３の下端部及び棚面１５に接する旋回流３４となる。この旋回流３４は、上部鉛直内壁面１３の下端部に沿うように流れるので、便鉢１０（リム１１）の上方に飛散することはない。旋回流３４の旋回経路は、重力により次第に下方へ移動していき、溜水部１７に流入する。
【００２６】
そして、吐出終了間際では、吐出した洗浄水が、溜水部１７に向かってほぼ鉛直下向きの誘導流３５となる。この吐出終了間際の下向きの誘導流３５は、棚面１５の後端部における旋回流３４に上から覆い被さるように流れ落ちる。したがって、棚面１５の後端部では、旋回流３４が誘導流３５によって下向きに誘導され、溜水部１７に流れ込む。溜水部１７は、排水路１９の入口に連通しているので、便鉢１０内の洗浄水と汚物は確実に排出される。
【００２７】
本実施例の水洗式大便器は、便鉢１０と、便鉢１０の内面上端部に形成され、便鉢１０の略水平な上端面１１Ｓの内周縁に対し、便鉢１０の全周に亘って直角に連なる上部鉛直内壁面１３とを有する。この上部鉛直内壁面１３には、洗浄水を吐出して上部鉛直内壁面１３に接する旋回流３４を生成する吐水口２８が開口している。吐水口２８が開口する上部鉛直内壁面１３は、全周に亘り、便鉢１０の水平な上端面１１Ｓと直角に連なっていてオーバーハング部を有していないので、リム１１の上端面１１Ｓより高い位置の視点からでも、上部鉛直内壁面１３の全領域を全周に亘って目視することが可能である。
【００２８】
また、吐水口２８は、上部鉛直内壁面１３の上下方向中間位置に開口している。この構成によれば、上部鉛直内壁面１３に沿って一周した旋回流３４は、吐水口２８より低い位置を流れるのであるが、この一周した旋回流３４に対し、吐水口２８から吐出された洗浄水が上から覆い被さるので、洗浄水が上方へ飛散することを防止できる。
【００２９】
また、便鉢１０の内面には、上部鉛直内壁面１３の下端縁に沿った上向きの棚面１５が全周に亘って連続して形成されており、吐水口２８の開口領域の最下端は、棚面１５より上方に設定されている。この構成によれば、棚面１５上を旋回する洗浄水に対し、吐水口２８から吐出された洗浄水が上から覆い被さるので、棚面１５上の洗浄水が上方へ飛散することを防止できる。
【００３０】
また、上部鉛直内壁面１３の平面視形状は、前端部と後端部の曲率半径が左右両側縁部の曲率半径よりも小さい形状をなしている。即ち、長軸を前後方向に向けた略楕円形をなしている。そして、吐水口２８が、上部鉛直内壁面１３の後端部（つまり、曲率半径の小さい領域）に開口している。この構成によれば、吐水口２８から斜め前方に吐出された洗浄水は、吐出の直後に曲率半径の大きい側縁部に対して接線状に接触するので、洗浄水の水勢の低下が抑えられる。したがって、洗浄力の高い旋回流３４が生成される。
【００３１】
また、便鉢１０のうち前後方向における中央よりも後方の位置には、排水路１９に連なる溜水部１７が配されており、吐水口２８が、溜水部１７の溜水面２３よりも後方に配され、吐水口２８から吐出した洗浄水の一部が、下向きの誘導流３５を生成するようになっている。この構成によれば、吐水口２８から吐出された洗浄水の一部が、溜水部１７に向かう下向きの誘導流３５となるので、汚物を効果的に排水路１９へ誘導することができる。
【００３２】
＜他の実施例＞
本発明は上記記述及び図面によって説明した実施例に限定されるものではなく、例えば次のような実施例も本発明の技術的範囲に含まれる。  
（１）上記実施例では、吐水口を便鉢（リム）の後端部に配置したが、吐水口は、便鉢の後端よりも前方の位置に配置してもよい。  
（２）上記実施例では、吐水口の数を１つだけとしたが、吐水口は、異なる位置に複数配置してもよい。この場合、２つ目からの吐水口は、旋回流を生成する吐水口でなくてもよい。例えば、下方にのみ吐水する吐水口でもよい。  
（３）上記実施例では、吐水口の開口領域の最下端を棚面より上方に設定したが、吐水口の開口領域の最下端が棚面と同じ高さであってもよい。  
（４）上記実施例では、吐水口の全体が、便鉢の左右方向中央より左方の領域に開口しているが、吐水口の全体が便鉢の左右方向中央より右方の領域に開口してもよく、吐水口が便鉢の左右方向中央線を跨ぐように開口してもよい。  
（５）上記実施例では、吐水口の全体が、溜水部の溜水面の後端より後方の領域に開口しているが、吐水口の全体が溜水部の溜水面の前端より前方の領域に開口してもよく、吐水口の開口領域の一部が、前後方向において溜水面と重なるような位置関係であってもよい。  
（６）上記実施例では、吐水口を前方から見た開口形状が左右非対称であるが、吐水口を前方から見た開口形状は左右対称であってもよい。
【符号の説明】
【００３３】
１０…便鉢
１１…リム
１１Ｓ…リムの上端面
１３…上部鉛直内壁面
１５…棚面
１７…溜水部
１９…排水路
２３…溜水面
２８…吐水口
３４…旋回流
３５…誘導流
【図１】
2019007350.tif 000003
【図２】
2019007350.tif 000004
【図３】
2019007350.tif 000005
【図４】
2019007350.tif 000006
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
便鉢と、
前記便鉢の上端縁部に形成されたリムと、
前記便鉢の内面上端部に形成され、前記便鉢の全周に亘って前記リムの上端面内周縁部に連なる上部鉛直内壁面と、
前記上部鉛直内壁面に開口し、洗浄水を吐出して前記上部鉛直内壁面に接する旋回流を生成する吐水口と、
前記便鉢のうち前後方向における中央よりも後方の位置に配され、排水路に連なる溜水部とを備え、
前記吐水口が、前記溜水部の溜水面よりも後方に配され、且つ左右方向において前記溜水部の溜水面と重なるように開口し、
前記吐水口から吐出した洗浄水の一部が、下向きの誘導流を生成することを特徴とする水洗式大便器。
【請求項２】
前記吐水口から、前記旋回流と前記誘導流が吐出されることを特徴とする請求項１記載の水洗式大便器。
【請求項３】
前記上部鉛直内壁面の平面視形状は、前端部と後端部の曲率半径が左右両側縁部の曲率半径よりも小さい形状をなしており、
前記吐水口が前記上部鉛直内壁面の後端部に開口していることを特徴とする請求項１又は請求項２記載の水洗式大便器。
【手続補正２】
【補正対象書類名】明細書
【補正対象項目名】０００６
【補正方法】変更
【補正の内容】
【０００６】
本発明の水洗式大便器は、
便鉢と、
前記便鉢の上端縁部に形成されたリムと、
前記便鉢の内面上端部に形成され、前記便鉢の全周に亘って前記リムの上端面内周縁部に連なる上部鉛直内壁面と、
前記上部鉛直内壁面に開口し、洗浄水を吐出して前記上部鉛直内壁面に接する旋回流を生成する吐水口と、
前記便鉢のうち前後方向における中央よりも後方の位置に配され、排水路に連なる溜水部とを備え、
前記吐水口が、前記溜水部の溜水面よりも後方に配され、且つ左右方向において前記溜水部の溜水面と重なるように開口し、
前記吐水口から吐出した洗浄水の一部が、下向きの誘導流を生成することを特徴とする。
本発明において、リムの上端面に対して直角に連なる上部鉛直内壁面の向きは、厳密な鉛直方向に限らず、鉛直方向に対して上端側が便鉢の内側へ僅かに傾いた向き（つまり、リムの上端面と鋭角をなす向き）と、鉛直方向に対して上端側が便鉢の外側へ僅かに傾いた向き（つまり、リムの上端面と鈍角をなす向き）も含む。
【手続補正３】
【補正対象書類名】明細書
【補正対象項目名】０００７
【補正方法】変更
【補正の内容】
【０００７】
吐水口が開口する上部鉛直内壁面は、全周に亘り、リムの上端面と直角に連なっていてオーバーハング部を有していないので、リムより高い位置の視点からでも、上部鉛直内壁面の全領域を全周に亘って目視することが可能である。また、  この構成によれば、吐水口から吐出された洗浄水の一部が、溜水部に向かう下向きの誘導流となるので、汚物を効果的に排水路へ誘導することができる。
【手続補正４】
【補正対象書類名】明細書
【補正対象項目名】００１２
【補正方法】削除
【補正の内容】